(57)【要約】      （修正有）【課題】ピクチャーレールを用いた展示方法で、スケートボードが傾くことなく壁に対して平行に展示ができ、かつ安全性の高いスケートボード専用ハンガーフックを提供する。【解決手段】スケートボード専用ハンガーフックは、ハンガーフック本体部分１を含む。ハンガーフック本体部分１の穴１ａに、テグス２を通し、ストッパー３に空いた穴３ａにテグス２を通す。ハンガーフック本体部分１とストッパー３に隙間が出来ないようにストッパー３を押し込み、フック４を取り付ける分の余裕を持たせて、かしめ５ａをテグス２に通して固定する。ハンガーフック本体部分１に空いた穴１ｂそれぞれにテグス２を通し、たるまないように引っ張りながらかしめ５ｂで固定する。端末キャップ６をハンガーフック本体部分１の先端にはめる。フック４をテグス２ａに通し、テグス７をフック４の先から３０ｃｍ程の位置にホッチキス８で壁に固定する。【選択図】図１
0003234763.tif 000002
【実用新案登録請求の範囲】
【請求項１】
壁に面した天井又は壁に設置されたピクチャーレールを用いて、スケートボードを飾ることができ、スケートボードが前後左右に傾くことがなく壁に対してほぼ平行に飾ることができる、インテリアに特化したスケートボード用ハンガーフック。
【考案の詳細な説明】
【技術分野】
【０００１】  本考案は、壁に面した天井又は壁に設置されたピクチャーレールに、インテリアとしてスケートボードを展示するためのスケートボード用ハンガーフックに関するものである。
【背景技術】
【０００２】  スケートボードを壁に面した天井又は壁に設置されたピクチャーレールで展示する場合に、ただ吊り下げるだけでは前のめりに傾いてしまう。更に、傾いた状態でスケートボードを展示すると、スケートボード自体の影がスケートボードの絵柄が印刷された面に落ちしまい見栄えが悪くなる。また、不安定な状態でスケートボードをピクチャーレールを用いて吊るした場合、少しの衝撃でスケートボードが落下する恐れがあり、安全性にも問題があった。
【先行技術文献】
【特許文献】
【０００３】
【特許文献１】実登第３１９１４９９号公報
【考案の概要】
【考案が解決しようとする課題】
【０００４】  スケートボードを壁に面した天井又は壁に設置されたピクチャーレールで展示する場合、テグス付きピクチャレール専用フックを、紐などで引っ掛けられる場所を作ったスケートボードにひっかけるだけでは、スケートボードが前に傾いてしまい、とても不安定な状態になってしまう。また、スケートボード自体が特殊な形状のため、絵画の展示で用いるような吊り器具をつけて吊すことは不可能である。以上のことから、ピクチャーレール専用のスケートボード用ハンガーフックを設計することでこの問題を解決するものである。
【課題を解決するための手段】
【０００５】  ハンガーフック本体の中央上部に、円柱型ストッパーを取り付け、その先に予めピクチャーレールに取り付けておいたテグス付きピクチャーレール専用フック（以下、ピクチャーレール専用フック）を引っ掛けて吊す事で、スケートボードが安定する重心にピクチャーレール専用フックを取り付けることができる。加えて、ピクチャーレール専用フックのテグス部分を、ピクチャーレール専用フックの先から３０ｃｍ程の位置にホッチキスで壁に固定することで、スケートボードが前のめりに傾くことを防いでいる。また、ハンガーフック本体のスケートボードをかける先端部分に端末キャップを取り付ける事で、滑り止めの役割を果たすと同時に、ハンガーフック本体の先端部分で怪我をする心配もない。
【考案の効果】
【０００６】  上述の様に、本考案のスケートボード用ハンガーフックは、壁に面した天井又は壁に設置されたピクチャーレールで展示した時、スケートボードを前後左右に傾くことなく展示ができる。また、端末キャップをスケートボードをかけるハンガーフック本体の先に取り付ける事で、滑り止めの役割を果たし、スケートボードがハンガーフック本体から滑り落ちる心配がなく安全性も高い。
【図面の簡単な説明】
【０００７】
【図１】本考案のインテリアのためのスケートボード用ハンガーの実施例を表す分解図
【図２】本ハンガーフックの取り付け側面図
【図３】本ハンガーフックをスケートボードに取り付けた全体図
【考案を実施するための形態】
【０００８】  前提として本ハンガーフックを設置できる場所は、ピクチャーレールが壁に面している天井又は壁に設置されている場合に限られる。内角８０度のＬ字型のハンガーフック本体の中央上部に空いた２つの穴に１本のテグスを通し、同じく穴が２つ空いた円柱型のストッパーの穴にも通して、かしめを用いてテグスを固定し、続けてハンガーフック本体の下部についた部分の２つの穴にテグスを通してカシメで固定する。次に、円柱型のストッパーの先のテグスに、ピクチャーレール専用フックをかける。ピクチャーレール専用フックの天井に向かって伸びているテグスの部分を、ピクチャーレール専用フックの先から３０ｃｍ程度の位置をホッチキスで壁に固定する。こうすることによって、スケートボードをハンガーフックに掛けた場合でも、重心が安定して傾くことがない。また、重心が安定しているため、不意に当たってしまっても小さな衝撃であるならば、ハンガーフックから落ちることがほとんどなく安全性も高い。更に安全性を上げる為に、ハンガーフックのそれぞれの先端に端末キャップを取り付ける。これにより、ハンガーフックの先端部分で怪我をする恐れもないと同時に、滑り止めの役割も果たしており、スケートボードが不意の衝撃に見舞われた場合でもハンガーフックからスケートボードが落ちにくいものである。
【実施例】
【０００９】  以下は、添付図案に従って一実施例を説明する。設置する場所は、ピクチャーレールが壁に面している天井又は壁に設置されている場合に限る。１はハンガーフック本体部分。ハンガーフック本体の１ａの穴に、２のテグスを通し３のストッパーに空いた３ａの穴に２を通す。１と３に隙間が出来ないように３を押し込み、４のフックを取り付ける分の余裕を持たせて、５ａのかしめを２のテグスに通して固定する。１に空いた１ｂの穴それぞれに２を通し、たるまないように引っ張りながら５ｂのかしめで固定する。【００１０】  ６の端末キャップを１の先端にはめる。４を２ａのテグスに通し、７のテグスを４の先から３０ｃｍ程の位置に８のホッチキスで壁に固定する。６を９のスケートボードの９ａの穴にはめ込み、９を固定する。
【符号の説明】
【００１１】１  ピクチャーレール専用のスケートボード用ハンガーフック本体部分
２  テグス
３  円柱型のストッパー
４  ピクチャーレール専用フック
５  かしめ
６  端末キャップ
７  ピクチャーレール専用フックのテグス部分
８  ホッチキス
９  スケートボード
【図１】
0003234763.tif 000003
【図２】
0003234763.tif 000004
【図３】
0003234763.tif 000005
【手続補正書】
【提出日】令和3年7月20日(2021.7.20)
【手続補正１】
【補正対象書類名】実用新案登録請求の範囲
【補正対象項目名】全文
【補正方法】変更
【補正の内容】
【実用新案登録請求の範囲】
【請求項１】
素材はステンレスなどの強度が高い金属製で、形状は内角８０度のＬ字型のハンガーフックである本体の正面上部に円柱型ストッパーを取り付け、そのストッパーの先に予めピクチャーレールに取り付けておいたテグス付きピクチャーレール専用フックを引っ掛けて吊るすことで、ハンガーフック本体にスケートボードをかけてもスケートボードが壁に対して平行になる重心の位置に、テグス付きピクチャーレール専用フックを取り付けることを可能にすると同時に、スケートボードが前後左右に傾くことなく壁に対して平行に飾る事を可能にした、インテリアに特化したスケートボード用ハンガーフック。